(57)【要約】  クライアント信号が入出力されるポート管理を容易とするために、光トランスポンダは、光トランスポンダは、エンドユーザー装置と自光トランスポンダとの間でクライアント信号を送信及び受信する複数のクライアントポートと、通信装置との間でクライアント信号が格納されたライン信号を送信及び受信する複数のラインポートと、エンドユーザー装置から通信装置へ伝送されるクライアント信号に、通信装置における送信先を識別する第１のラベルを付与するラベル付与手段と、通信装置から受信したクライアント信号に含まれる第２のラベルから、通信装置から受信したライン信号に格納されたクライアント信号の送信先を識別する情報を抽出するラベル終端手段と、クライアント信号の送信先を識別する情報に基づいて複数のクライアントポートのいずれかとライン信号を受信した複数のラインポートのいずれかとを接続するスイッチと、を備える。
2019188635.tif 000002
【特許請求の範囲】
【請求項１】
エンドユーザー装置からクライアント信号を受信する複数のクライアントポートと、
前記クライアント信号を格納したライン信号を生成し、光受信機へ前記ライン信号を送信する複数のラインポートと、
前記複数のクライアントポートと前記複数のラインポートとを接続するスイッチと、
前記クライアント信号に、前記光受信機における送信先を識別するラベルを付与するラベル付与手段と、
を備える光送信機。
【請求項２】
前記複数のラインポートは、それぞれ、
前記クライアント信号の誤り訂正処理を行い、前記ラベルを前記クライアント信号の誤り訂正フレームの空き領域に格納する前方誤り訂正処理手段を備える、
請求項１に記載された光送信機。
【請求項３】
前記ラベル付与手段は前記複数のクライアントポートのいずれかと前記スイッチとの間に配置される、請求項１又は２に記載された光送信機。
【請求項４】
光送信機からクライアント信号が格納されたライン信号を受信して前記クライアント信号を出力する複数のラインポートと、
前記クライアント信号に含まれるラベルから前記クライアント信号の送信先を識別する情報を抽出するラベル終端手段と、
前記クライアント信号の送信先を識別する情報に基づいて、前記複数のクライアントポートのいずれかと前記ライン信号を受信した前記複数のラインポートのいずれかとを接続するスイッチと、
エンドユーザー装置へ前記クライアント信号を送信する複数のクライアントポートと、を備える光受信機。
【請求項５】
前記複数のラインポートは、それぞれ、
前記クライアント信号の誤り訂正処理を行い、前記ラベルを前記ライン信号の誤り訂正フレームから抽出して前記ラベル終端手段へ出力する前方誤り訂正処理手段を備える、
請求項４に記載された光受信機。
【請求項６】
前記ラベル終端手段は前記複数のラインポートのいずれかと前記スイッチとの間に配置される、請求項４又は５に記載された光受信機。
【請求項７】
請求項１乃至３のいずれか１項に記載された光送信機と、
請求項４乃至６のいずれか１項に記載された光受信機と、
が対向して前記クライアント信号を伝送するように構成された、光伝送システム。
【請求項８】
エンドユーザー装置と自光トランスポンダとの間でクライアント信号を送信及び受信する複数のクライアントポートと、
通信装置との間で前記クライアント信号が格納されたライン信号を送信及び受信する複数のラインポートと、
前記エンドユーザー装置から前記通信装置へ伝送される前記クライアント信号に、前記通信装置における送信先を識別する第１のラベルを付与するラベル付与手段と、
前記通信装置から受信した前記クライアント信号に含まれる第２のラベルから、前記通信装置から受信した前記ライン信号に格納された前記クライアント信号の送信先を識別する情報を抽出するラベル終端手段と、
前記クライアント信号の送信先を識別する情報に基づいて前記複数のクライアントポートのいずれかと前記ライン信号を受信した前記複数のラインポートのいずれかとを接続するスイッチと、を備える光トランスポンダ。
【請求項９】
前記複数のラインポートの伝送容量の総和は前記複数のクライアントポートの伝送容量の総和よりも大きい、請求項８に記載された光トランスポンダ。
【請求項１０】
前記複数のラインポートのそれぞれが前記通信装置との間で送信及び受信する前記ライン信号を波長多重分離する波長多重分離手段をさらに備える、請求項８又は９に記載された光トランスポンダ。
【請求項１１】
請求項１０に記載された光トランスポンダを複数備え、さらに、
前記波長多重分離手段は、複数の前記光トランスポンダのそれぞれが前記通信装置との間で送信及び受信する前記ライン信号を波長多重分離する、光トランスポンダ。
【請求項１２】
請求項８乃至１１のいずれかに記載された光トランスポンダと、
請求項８乃至１１のいずれかに記載された光トランスポンダを含む前記通信装置とが、光伝送路を介して通信可能に接続された、光伝送システム。
【請求項１３】
前記複数のラインポートのいずれかにおいて異常が検出された場合には、前記異常が検出されたラインポートは、前記異常が検出されたことを示す情報を前記通信装置に送信する、請求項１２に記載された光伝送システム。
【請求項１４】
前記通信装置は、前記異常が検出されたことを示す情報を受信すると、前記異常が検出された前記ラインポートへの前記ライン信号の送信を抑制する、請求項１３に記載された光伝送システム。
【請求項１５】
前記異常が検出されたことを示す情報は、前記ライン信号の前方誤り訂正フレームの空き領域に格納される、請求項１３又は１４に記載された光伝送システム。
【請求項１６】
前記通信装置は、前記光伝送路から受信した前記クライアント信号の前記第１のラベルに対応して設定された優先度が高い前記クライアント信号を、前記異常が検出されたラインポート以外の前記ラインポートを介して優先して送信する、請求項１４又は１５に記載された光伝送システム。
【請求項１７】
前記優先度は、前記ライン信号の前方誤り訂正フレームの空き領域に格納される、請求項１６に記載された光伝送システム。
【請求項１８】
複数のクライアントポートにおいてエンドユーザー装置からクライアント信号を受信し、
複数のラインポートにおいて光受信機へ前記クライアント信号が格納されたライン信号を送信し、
前記複数のクライアントポートと前記複数のラインポートとを接続し、
前記複数のクライアントポートのいずれかから前記複数のラインポートのいずれかへ転送される前記クライアント信号に、前記光受信機における送信先を識別するラベルを付与する、
光送信方法。
【請求項１９】
複数のクライアントポートにおいてエンドユーザー装置へクライアント信号を送信し、  複数のラインポートにおいて光送信機からの前記クライアント信号が格納されたライン信号を受信し、
前記クライアント信号に含まれるラベルから前記クライアント信号の送信先を識別する情報を抽出し、
前記クライアント信号の送信先を識別する情報に基づいて前記複数のクライアントポートのいずれかと前記ライン信号を受信した前記複数のラインポートのいずれかとを接続する、
光受信方法。
【請求項２０】
複数のクライアントポートにおいてエンドユーザー装置との間でクライアント信号を送信及び受信し、
複数のラインポートにおいて通信装置との間で前記クライアント信号が格納されたライン信号を送信及び受信し、
前記エンドユーザー装置から前記通信装置へ伝送される前記クライアント信号に、前記通信装置における送信先を識別する第１のラベルを付与し、
前記通信装置から受信した前記ライン信号に含まれる第２のラベルから、前記クライアント信号の送信先を識別する情報を抽出し、
前記クライアント信号の送信先を識別する情報に基づいて前記複数のクライアントポートのいずれかと前記ライン信号を受信した前記複数のラインポートのいずれかとを接続する、
光送受信方法。
【発明の詳細な説明】
【技術分野】
【０００１】
本発明は光伝送システムに関し、特に、光伝送システムの端局で用いられる光送信機、光受信機及び光トランスポンダに関する。
【背景技術】
【０００２】
光海底ケーブルシステムで用いられる端局が備える光送受信機は、入力されるクライアント信号を処理してライン信号を出力する機能を有する。クライアント信号はエンドユーザー装置と端局との間で送受信される信号である。ライン信号は、クライアント信号を、海底伝送路を介して他の端局と送受信するための信号である。特許文献１には、端局が備える光送受信機の構成が記載されている。【０００３】
図９は、一般的な端局が備える光送受信機（光トランスポンダ：以下、「トランスポンダ」という。）の構成例を示す図である。トランスポンダ９００は、クライアントポート９０１、クロスコネクト部９０２、ラインポート９０３を備える。端局は、クライアントポート９０１を介してエンドユーザー装置との間でクライアント信号を送受信する。また、端局はラインポート９０３を介して、海底伝送路で接続された他の端局とライン信号を送受信する。クロスコネクト部９０２は、クライアントポート９０１とラインポート９０３とを接続するクロスコネクトスイッチである。【０００４】
本発明に関連して、さらに、特許文献２は、多重化伝送システムにおける多重化前後の各チャンネルと多重分離後の各チャンネルの対応付けに関する技術を記載している。また、特許文献３は、時分割多重信号から分離された信号を、所望のチャンネル並びで出力する技術を記載している。
【先行技術文献】
【特許文献】
【０００５】
【特許文献１】国際公開第２０１５／０４５３０３号
【特許文献２】特開２００５−２１８１３８号公報
【特許文献３】特開２００６−０８０９７５号公報
【発明の概要】
【発明が解決しようとする課題】
【０００６】
端局間を接続する一般的な光伝送システムでは、自局と対向局とに共通のクロスコネクト情報を登録しておくことで、自局に接続されたエンドユーザー装置と対向局に接続されたエンドユーザー装置との間でクライアント信号を疎通させる。このような構成では、システム管理者は各ポートの使用情報以外にそれぞれの端局の煩雑なクロスコネクト情報を常時管理する必要がある。例えば、システムの仕様の変更によって信号を出力するポートが変更された場合、送信側の出力ポートのポート情報の変更に応じて受信側の入力ポートのポート情報を更新する必要がある。従って、システム管理者は管理が煩雑になるという課題があった。【０００７】
（発明の目的）
本発明は、クライアント信号が入出力されるポート管理を容易とする光送信機、光受信機及び光トランスポンダを提供する。
【課題を解決するための手段】
【０００８】
本発明の光送信機は、
エンドユーザー装置からクライアント信号を受信する複数のクライアントポートと、
前記クライアント信号を格納したライン信号を生成し、光受信機へ前記ライン信号を送信する複数のラインポートと、
前記複数のクライアントポートと前記複数のラインポートとを接続するスイッチと、
前記クライアント信号に、前記光受信機における送信先を識別するラベルを付与するラベル付与手段と、
を備える。【０００９】
本発明の光受信機は、
光送信機からクライアント信号が格納されたライン信号を受信して前記クライアント信号を出力する複数のラインポートと、
前記クライアント信号に含まれるラベルから前記クライアント信号の送信先を識別する情報を抽出するラベル終端手段と、
前記クライアント信号の送信先を識別する情報に基づいて、前記複数のクライアントポートのいずれかと前記ライン信号を受信した前記複数のラインポートのいずれかとを接続するスイッチと、
エンドユーザー装置へ前記クライアント信号を送信する複数のクライアントポートと、を備える。【００１０】
本発明の光トランスポンダは、
エンドユーザー装置と自光トランスポンダとの間でクライアント信号を送信及び受信する複数のクライアントポートと、
通信装置との間で前記クライアント信号が格納されたライン信号を送信及び受信する複数のラインポートと、
前記エンドユーザー装置から前記通信装置へ伝送される前記クライアント信号に、前記通信装置における送信先を識別する第１のラベルを付与するラベル付与手段と、
前記通信装置から受信した前記クライアント信号に含まれる第２のラベルから、前記通信装置から受信した前記ライン信号に格納された前記クライアント信号の送信先を識別する情報を抽出するラベル終端手段と、
前記クライアント信号の送信先を識別する情報に基づいて前記複数のクライアントポートのいずれかと前記ライン信号を受信した前記複数のラインポートのいずれかとを接続するスイッチと、を備える。【００１１】
本発明の光送信方法は、
複数のクライアントポートにおいてエンドユーザー装置からクライアント信号を受信し、
複数のラインポートにおいて光受信機へ前記クライアント信号が格納されたライン信号を送信し、
前記複数のクライアントポートと前記複数のラインポートとを接続し、
前記複数のクライアントポートのいずれかから前記複数のラインポートのいずれかへ転送される前記クライアント信号に、前記光受信機における送信先を識別するラベルを付与する、
ことを特徴とする。【００１２】
本発明の光受信方法は、
複数のクライアントポートにおいてエンドユーザー装置へクライアント信号を送信し、  複数のラインポートにおいて光送信機からの前記クライアント信号が格納されたライン信号を受信し、
前記クライアント信号に含まれるラベルから前記クライアント信号の送信先を識別する情報を抽出し、
前記クライアント信号の送信先を識別する情報に基づいて前記複数のクライアントポートのいずれかと前記ライン信号を受信した前記複数のラインポートのいずれかとを接続する、
ことを特徴とする。
【発明の効果】
【００１３】
本発明の光送信機、光受信機及び光トランスポンダは、クライアント信号が入出力されるポート管理を容易とする。
【図面の簡単な説明】
【００１４】
【図１】第１の実施形態の光伝送システム１の構成例を示す図である。
【図２】第１の実施形態のトランスポンダ１１０の構成例を示す図である。
【図３】トランスポンダ１１０が対向した場合のクライアント信号の伝送を説明する図である。
【図４】第２の実施形態のトランスポンダ１１０Ａの構成例を示す図である。
【図５】第３の実施形態のトランスポンダ１１０Ｂの構成例を示す図である。
【図６】トランスポンダ１１０Ｃの構成例を示す図である。
【図７】第４の実施形態の光送信機３００の構成例を示す図である。
【図８】第５の実施形態の光受信機４００の構成例を示す図である。
【図９】トランスポンダ９００の構成例を示す図である。
【発明を実施するための形態】
【００１５】
（第１の実施形態）
図１は、本発明の第１の実施形態の光伝送システム１の構成例を示す図である。光伝送システム１は、端局１１及び２１、エンドユーザー装置１３及び２３、光伝送路５１を備える。端局１１及び２１、光伝送路５１を介してエンドユーザー装置１３とエンドユーザー装置２３との間でクライアント信号が双方向に伝送される。
【００１６】
エンドユーザー装置１３及び２３は光伝送システム１のユーザーの通信装置であり、例えば、一般的な伝送装置やサーバーである。エンドユーザー装置１３及び２３は、通信先との間で伝送されるクライアント信号を端局１１又は２１との間で送信及び受信する。
【００１７】
端局１１はｎ台のトランスポンダ１１１〜１１ｎ（ｎは自然数）を備える。端局１１は、エンドユーザー装置１３が送信したクライアント信号をライン信号に変換して、波長多重部１２１へ出力する。ライン信号は、端局１１と端局２１との間で伝送される、クライアント信号が格納された光信号である。波長多重部１２１は、トランスポンダ１１１〜１１ｎから入力された、波長の異なるライン信号を波長多重してＷＤＭ（Wavelength Division Multiplexing、波長多重）信号として光伝送路５１へ出力する。また、端局１１は、端局２１から受信したＷＤＭ信号を波長多重部１２１において波長分離し、分離されたライン信号をトランスポンダ１１１〜１１ｎへライン信号として出力する。トランスポンダ１１１〜１１ｎはライン信号をクライアント信号に変換し、エンドユーザー装置２３が送信したクライアント信号をエンドユーザー装置１３へ出力する。
【００１８】
端局２１は、端局１１と同様の構成及び機能を備える。すなわち、端局２１はｎ台のトランスポンダ２１１〜２１ｎ（ｎは自然数）を備える。端局２１は、エンドユーザー装置２３が送信したクライアント信号をライン信号に変換して波長多重部２２１へ出力する。波長多重部２２１は、トランスポンダ２１１〜２１ｎから入力されたライン信号を波長多重してＷＤＭ信号として光伝送路５１へ出力する。また、端局２１は、端局１１から受信したＷＤＭ信号を波長多重部２２１において波長分離し、分離されたライン信号をトランスポンダ２１１〜２１ｎへ出力する。トランスポンダ２１１〜２１ｎはライン信号を電気信号に変換しエンドユーザー装置１３が送信したクライアント信号をエンドユーザー装置２３へ出力する。このように、波長多重部１２１及び２２１は、いずれも、波長多重機能及び波長分離機能を備える波長多重分離手段を担う。
【００１９】
光伝送システム１は、陸上光伝送システムのみならず、海底光伝送システムにも適用できる。例えば、光伝送路５１は海底伝送路であり、陸上に設置された端局１１及び２１は海底伝送路を終端する。また、光伝送路５１は、その設置形態にかかわらず、光増幅器、光中継器及び光分岐結合装置（Optical Add/Drop Multiplexer、OADM）を含んでもよい。
【００２０】
図２は、本実施形態のトランスポンダ１１０の構成例を示す図である。トランスポンダ１１０は、図１に示したトランスポンダ１１１〜１１ｎ及び２１１〜２１ｎの総称である。トランスポンダ１１０は、トランスポンダ１１１〜１１ｎ及び２１１〜２１ｎに共通する構成及び機能を備える。なお、図２以降でブロック間に付された矢印は説明のために信号の向きの例を示すものであり、信号の向きを限定しない。
【００２１】
トランスポンダ１１０は、クライアントポート１１５、クロスコネクト部１１６、ラインポート１１７を備える。クライアントポート１１５は、エンドユーザー装置１３又は２３と対向する、クライアント信号のインタフェースである。ラインポート１１７は、波長多重部１２１又は２２１と対向する、ライン信号のインタフェースである。クライアントポート１１５及びラインポート１１７は、それぞれ複数備えられる。
【００２２】
クロスコネクト部１１６は、ラベル付与部１６１、スイッチ１６２、ラベル終端部１６３を備える。ラベル付与部１６１は、クライアントポート１１５のいずれかからラインポート１１７のいずれかへ転送されるクライアント信号に、クライアント信号の送信先の端局のトランスポンダが備えるクライアントポートを識別するラベルを付与する。また、ラベル終端部１６３は、ラインポート１１７からスイッチ１６２へ出力されるクライアント信号に含まれるラベルから、クライアント信号の送信先であるクライアントポート１１５のいずれかを識別する情報を抽出する。スイッチ１６２は、ラベル終端部１６３で抽出された情報に基づいて、クライアント信号の送信先のクライアントポート１１５と、当該クライアント信号を含むライン信号を受信したラインポート１１７とを接続する。ラベル付与部１６１及びラベル終端部１６３は、それぞれ、トランスポンダ１１０においてラベル付与手段又はラベル終端手段を担う。
【００２３】
ラインポート１１７がトランスポンダ１１０の外部と送受信するライン信号は光信号である。端局１１及び２１が備える複数のラインポート１１７がそれぞれ異なる波長の光信号を波長多重部１２１又は２２１と送受信することで、波長多重部１２１又は２２１において波長多重分離が可能となる。本実施形態のクロスコネクト部１１６の内部では、クライアント信号は電気信号である。従って、ラインポート１１７はクライアント信号（電気信号）とライン信号（光信号）との変換を行う。ただし、クライアント信号は電気信号に限定されない。
【００２４】
図３は、トランスポンダ１１０が対向した場合のクライアント信号の伝送を説明する図である。図３では、クライアント信号の送信元をトランスポンダ１１０、クライアント信号の送信先をトランスポンダ２１０と記載する。以下では、クライアント信号がトランスポンダ１１０のクライアントポートＡ（１１５Ａ）からトランスポンダ２１０のクライアントポートＡ（２１５Ａ）に伝送される場合について説明する。トランスポンダ２１０の構成及び機能はトランスポンダ１１０と同様である。
【００２５】
クライアントポートＡ（１１５Ａ）は、図１のエンドユーザー装置１３からクライアント信号を受信する。クライアントポートＡは、クライアント信号をラベル付与部１６１へ出力する。ラベル付与部１６１は、クライアント信号にラベルを付与する。ラベルは、クライアントポートＡが出力したクライアント信号を一意に特定できる情報である。例えば、ラベルは、クライアントポートＡの実装位置やポート管理番号から自動的に生成された情報でもよい。あるいは、端局１１及び２１がシャーシにブレードが実装される構成であれば、クライアントポートのハードウエアを搭載したブレードの実装スロット位置とブレード上でのポートの管理番号から生成された値をラベルとしてもよい。この値も、クライアントポートを一意に特定できる値である。ラベルは、クライアント信号がライン信号に変換された際の波長の情報や、クライアント信号の送信先あるいは送信元のエンドユーザー装置を特定する識別子でもよい。ラベル付与部１６１は、ラベルが付与されたクライアント信号をスイッチ１６２へ出力する。以下では、クライアントポートＡ（１１５Ａ）からクライアントポートＡ（２１５Ａ）に伝送されるクライアント信号に付与されるラベルを「ラベルＡ」と記載する。また、ラベルＡが付与されたクライアント信号を「クライアント信号Ａ」、クライアント信号Ａが格納されたライン信号を「ライン信号Ａ」と記載する。
【００２６】
スイッチ１６２は、クライアント信号Ａを、ラインポート１１７のいずれか１つへ出力する。一方、後述するように、クライアント信号Ａを受信したトランスポンダ２１０は、クライアント信号Ａに付与されたラベルＡに基づいてクライアント信号ＡをクライアントポートＡ（２１５Ａ）へ転送する。従って、光伝送システム１では、クライアント信号Ａが処理される送信側のラインポート１１７とライン信号Ａを受信するラインポート２１７との対応を管理する必要がない。従って、スイッチ１６２は、クライアント信号Ａを出力するラインポート１１７を、光伝送システム１のリソースの許す範囲内で自由に選択できる。選択されたラインポート１１７は、クライアント信号Ａをライン信号Ａに変換して、トランスポンダ１１０からトランスポンダ２１０へ送信する。
【００２７】
ライン信号Ａは、光伝送路５１を経由してトランスポンダ２１０のラインポート２１７で受信される。トランスポンダ１１０及び２１０は、複数のラインポート１１７及び２１７を備え、波長が異なる光信号に他のクライアント信号を格納して送信してもよい。この場合には、例えば図１に示したように、トランスポンダ１１０と光伝送路５１との間に波長多重部１２１を配し、光伝送路５１とトランスポンダ２１０との間には波長多重部２２１が配される。波長多重部１２１及び２２１により、複数のラインポート１１７及び２１７との間をＷＤＭ信号で伝送できる。ＷＤＭ信号は、クライアントポートＡ（１１５Ａ及び２１５Ａ）を結ぶクライアント信号Ａが格納されたライン信号Ａ以外のライン信号を含むことができる。波長多重部１２１及び２２１並びに光伝送路５１は、ラインポート１１７が送信したライン信号をラインポート２１７が受信するように構成される。
【００２８】
クライアントポートＡ（１１５Ａ）からラインポート１１７及び光伝送路５１を経由して伝送されたライン信号Ａは、トランスポンダ２１０のラインポート２１７で受信される。ラインポート２１７は、受信したライン信号Ａをクライアント信号Ａに変換してラベル終端部２６３へ出力する。
【００２９】
ラベル終端部２６３は、クライアント信号Ａに付与されたラベルＡを抽出して、クライアント信号ＡとラベルＡとをスイッチ２６２へ出力する。スイッチ２６２は、ラベルＡに基づき、クライアント信号Ａを出力するポートを１つ選択する。例えば、スイッチ２６２はラベルＡに含まれるクライアント信号Ａの送信先の情報と当該送信先に対応するスイッチ２６２の出力ポートの情報をテーブルに保持しておき、テーブルを参照することでクライアント信号を出力する出力ポートを選択する。ラベル終端部２６３においてラベルＡが抽出された場合には、クライアント信号Ａの送信先は、クライアントポートＡ（２１５Ａ）である。従って、スイッチ２６２はテーブルからラベルＡに対応するクライアントポートＡ（２１５Ａ）が接続されたポートを読み出す。そして、スイッチ２６２は、読み出したポートからクライアント信号Ａが出力されるようにスイッチ２６２の入力ポートと出力ポートとを接続する。なお、前述のように、クライアント信号Ａの送信先の情報は、クライアント信号Ａを一意に特定する情報であり、当該情報に基づいてクライアント信号Ａの送信先を特定できる情報であればよい。
【００３０】
このように、トランスポンダ１１０は、クライアント信号の送信先であるクライアントポートを一意に特定できる情報（ラベル）をクライアント信号に付与する。そして、トランスポンダ２１０は、ラベルの情報に基づいて、クライアント信号を出力するクライアントポートを選択する。このため、トランスポンダ１１０のいずれのラインポートからライン信号が送信されトランスポンダ２１０のいずれのラインポートでライン信号が受信されるか、という情報を管理する必要がない。すなわち、光伝送システム１では、トランスポンダ１１０及び２１０内のクロスコネクト情報を意識することなくクライアント信号の伝送が可能であり、クライアント信号を入出力するクロスコネクト部１１６におけるポート管理を容易とすることが可能である。
【００３１】
なお、トランスポンダ１１０及び２１０は、いずれもラベル付与部１６１及びラベル終端部１６３を備える。従って、トランスポンダ２１０からトランスポンダ１１０へクライアント信号が伝送される場合にも、上記と同様の動作により同様の効果が得られる。
【００３２】
（第２の実施形態）
図４は、本発明の第２の実施形態のトランスポンダ１１０Ａの構成例を示す図である。本実施形態のトランスポンダ１１０Ａは、第１の実施形態のトランスポンダ１１０と比較して、ラインポート１１７に代えてラインポート１１７Ａを備える。トランスポンダ１１０Ａは、第１の実施形態の図２及び図３におけるトランスポンダ１１０として用いられてもよい。
【００３３】
ラインポート１１７Ａは、ラインポート１１７の機能に加えて、ＦＥＣ処理部１６４を備える。ＦＥＣ処理部１６４は、ラインポート１１７Ａを通過するクライアント信号に前方誤り訂正（Forward Error Correction、FEC）処理を行う。すなわち、ＦＥＣ処理部１６４は、スイッチ１６２から入力されたクライアント信号に誤り訂正符号化処理を行い、誤り訂正フレーム（ＦＥＣフレーム）をクライアント信号に付加してライン信号として送信する。また、ＦＥＣ処理部１６４は、受信したライン信号から変換されたクライアント信号の誤り訂正符号の復号処理を行う。
【００３４】
ライン信号を送信する際には、ＦＥＣ処理部１６４は、ラベル付与部１６１により付与されたラベルをクライアント信号のＦＥＣフレームの空き領域に挿入してライン信号に変換する。また、ＦＥＣ処理部１６４は、受信したライン信号から変換されたクライアント信号のＦＥＣフレームを復号する際に、ＦＥＣフレームの空き領域に挿入されたラベルを抽出し、クライアント信号とともにラベル終端部１６３へ出力する。
【００３５】
第２の実施形態のトランスポンダ１１０Ａは、ラベルをＦＥＣフレームの空き領域に挿入することで、第１の実施形態の効果に加えて、ラベルを付与することによるクライアント信号及びライン信号のサイズの増大を抑制できるという効果を奏する。
【００３６】
（第３の実施形態）
図５は、本発明の第３の実施形態のトランスポンダ１１０Ｂの構成例を示す図である。本実施形態のトランスポンダ１１０Ｂは、ラインポート１１７Ａに代えてラインポート１１７Ｂを備える。トランスポンダ１１０Ｂは、第１の実施形態の図２及び図３におけるトランスポンダ１１０として用いられてもよい。
【００３７】
ラインポート１１７Ｂは、ＦＥＣ処理部１６４に加えて、故障検出部１６５を備える。ラインポート１１７Ｂが備えるＦＥＣ処理部１６４は、ラインポート１１７Ｂを通過するクライアント信号に対しては、第２の実施形態のＦＥＣ処理部１６４と同様の処理を行う。
【００３８】
故障検出部１６５は、ラインポート１１７Ｂの異常を検出した際に異常を示す情報（故障情報）を生成し、対向するトランスポンダ（例えば、図３におけるトランスポンダ２１０）に当該故障情報を送信する。故障情報は、ラインポート１１７Ｂの故障時のみならず、ラインポート１１７Ｂが光伝送路５１から受信したライン信号あるいは当該ライン信号に含まれたクライアント信号に異常があった場合に生成されてもよい。ラインポート１１７Ｂが備えるＦＥＣ処理部１６４は、故障情報をＦＥＣフレームの空き領域に格納し、対向するトランスポンダに送信する。対向するトランスポンダは、トランスポンダ１１０Ｂから受信したライン信号のＦＥＣフレームの空き領域に故障情報が格納されているかどうかを調べる。故障情報が格納されていた場合には、対向するトランスポンダは、故障情報が検出されたトランスポンダ１１０Ｂのラインポートをライン信号の送信先から除外する。そして、故障情報が検出されたラインポート以外のラインポートへライン信号を送信する。このため、トランスポンダ１１０のラインポート１１７Ｂが故障した場合でもライン信号の伝送品質の低下を抑制できる。また、クライアント信号の異常をエンドユーザー装置において検出する場合と比較して、クライアント信号の障害をより早期に発見できるとともに、異常の発生箇所を特定することが容易となる。
【００３９】
（第３の実施形態の第１の変形例）
図５に示すトランスポンダ１１０Ｂでは、複数のクライアントポート１１５のそれぞれに優先度が設定されてもよい。ＦＥＣ処理部１６４は、故障情報を対向するトランスポンダへ送信する際に、トランスポンダ１１０Ｂのクライアントポート１１５のそれぞれの優先度を併せて送信してもよい。これにより、対向するトランスポンダは、トランスポンダ１１０Ｂから通知された優先度の高いクライアントポート１１５との通信を優先するようにライン信号をラインポートへ割り当て、トランスポンダ１１０Ｂへ送信することが可能になる。その結果、トランスポンダ１１０Ｂのラインポート１１７Ｂのいずれかの故障によってラインポート１１７Ｂの全てを用いてクライアント信号を送受信できない場合でも、優先度の高いクライアント信号を保護することが可能となる。
【００４０】
（第３の実施形態の第２の変形例）
図６は、第３の実施形態の第２の変形例であるトランスポンダ１１０Ｃの構成例を示す図である。トランスポンダ１１０Ｃは、トランスポンダ１１０Ｂと同様の、故障検出部１６５を有するラインポート１１７Ｂを備える。トランスポンダ１１０Ｃは、ラインポート１１７Ｂの伝送容量の合計をクライアントポート１１５の伝送容量の合計よりも大きくすることで、冗長切替機能を実現する。例えば、１つのクライアントポート１１５と１つのラインポート１１７Ｂとの伝送容量が同じである場合には、ラインポート１１７Ｂの数をクライアントポート１１５の数よりも大きくしてもよい。これにより、ラインポート１１７Ｂが故障した場合に冗長のラインポート１１７Ｂにその機能を代替させることができる。一般的に、ラインポート１１７Ｂの伝送容量の総和をクライアントポート１１５の伝送容量の総和よりも大きくすることで、故障したラインポート１１７Ｂで送受信されるクライアント信号の一部又は全部を他のラインポート１１７Ｂで処理できる。トランスポンダ１１０Ｃのラインポート１１７Ｂの切り替えやラインポート１１７Ｂへ送信されるライン信号の容量の割り当ては、トランスポンダ１１０Ｃと対向するトランスポンダが故障情報に基づいて制御してもよい。
【００４１】
（第４の実施形態）
図７は、第４の実施形態の光送信機３００の構成例を示す図である。第１の実施形態では、トランスポンダ１１０と、対向するトランスポンダ２１０との間でクライアント信号が伝送される構成及びその効果について説明した。トランスポンダ１１０により得られる効果は、以下の光送信機３００によっても得られる。
【００４２】
光送信機３００は、クライアントポート１１５、ラベル付与部１６１、スイッチ１６２、ラインポート１１７を備える。ラベル付与部１６１は、クライアントポート１１５のいずれかからラインポート１１７のいずれかへ転送されるクライアント信号に、クライアント信号の送信先を識別するラベルを付与する。スイッチは、エンドユーザー装置からクライアント信号を受信したクライアントポート１１５と、当該クライアント信号を送信するラインポート１１７とを接続する。光送信機３００を、図３のトランスポンダ１１０として用いることができる。また、光送信機３００は、ラインポート１１７に代えて図４で説明したラインポート１１７Ａ又は図５で説明したラインポート１１７Ｂを用いることができる。
【００４３】
このような構成を備える光送信機３００は、クライアント信号の送信先を識別するラベルをクライアント信号に付与する。これにより、クライアント信号の送信先のトランスポンダは、ラベルの情報によりクライアント信号の出力先のポートを判別し、クライアント信号を転送するポートを選択できる。その結果、クライアント信号の送信元及び送信先のいずれのトランスポンダのクロスコネクトをも意識することなく、クライアント信号を伝送できる。すなわち、光送信機３００は、クライアント信号を入出力するクロスコネクト機能におけるポート管理を容易とすることが可能である。
【００４４】
（第５の実施形態）
図８は、第５の実施形態の光受信機４００の構成例を示す図である。第１の実施形態においてトランスポンダ２１０により得られる効果は、以下の光受信機４００によっても得られる。
【００４５】
光受信機４００は、クライアントポート１１５、スイッチ１６２、ラベル終端部１６３、ラインポート１１７を備える。光受信機４００は、図３において、トランスポンダ２１０に代えて用いることができる。ラベル終端部１６３は、ラインポート１１７で受信されたライン信号に含まれるラベルから、クライアント信号の送信先を識別する情報を抽出する。スイッチ１６２は、当該情報に基づいて、クライアント信号の送信先のクライアントポート１１５と当該クライアント信号を含むライン信号を受信したラインポート１１７とを接続する。
【００４６】
このような構成を備える光受信機４００は、クライアント信号の送信元のトランスポンダがクライアント信号に付与したラベルに含まれる情報に基づいてクライアント信号の出力先のポートを判別する。そして、光受信機４００は、当該ポートにクライアント信号が転送されるようにスイッチ１６２を制御する。その結果、クライアント信号の送信元及び送信先のいずれのトランスポンダのクロスコネクトをも意識することなく、クライアント信号を伝送できる。すなわち、光受信機４００は、クライアント信号を入出力するクロスコネクト機能におけるポート管理を容易とすることが可能である。
【００４７】
なお、第４の実施形態の光送信機３００の構成と第５の実施形態の光受信機４００の構成とを併せ持つ光トランスポンダに基づいて、第１〜第３の実施形態で説明したトランスポンダ１１０、１１０Ａ、１１０Ｂ、１１０Ｃ、２１０を構成することも可能である。また、本発明の実施形態は以下の付記のようにも記載できるが、これらには限定されない。
【００４８】
（付記１）
エンドユーザー装置からクライアント信号を受信する複数のクライアントポートと、
前記クライアント信号を格納したライン信号を生成し、光受信機へ前記ライン信号を送信する複数のラインポートと、
前記複数のクライアントポートと前記複数のラインポートとを接続するスイッチと、
前記クライアント信号に、前記光受信機における送信先を識別するラベルを付与するラベル付与手段と、
を備える光送信機。
【００４９】
（付記２）
前記複数のラインポートは、それぞれ、
前記クライアント信号の誤り訂正処理を行い、前記ラベルを前記クライアント信号の誤り訂正フレームの空き領域に格納する前方誤り訂正処理手段を備える、
付記１に記載された光送信機。
【００５０】
（付記３）
前記ラベル付与手段は前記複数のクライアントポートのいずれかと前記スイッチとの間に配置される、付記１又は２に記載された光送信機。
【００５１】
（付記４）
光送信機からクライアント信号が格納されたライン信号を受信して前記クライアント信号を出力する複数のラインポートと、
前記クライアント信号に含まれるラベルから前記クライアント信号の送信先を識別する情報を抽出するラベル終端手段と、
前記クライアント信号の送信先を識別する情報に基づいて、前記複数のクライアントポートのいずれかと前記ライン信号を受信した前記複数のラインポートのいずれかとを接続するスイッチと、
エンドユーザー装置へ前記クライアント信号を送信する複数のクライアントポートと、を備える光受信機。
【００５２】
（付記５）
前記複数のラインポートは、それぞれ、
前記クライアント信号の誤り訂正処理を行い、前記ラベルを前記ライン信号の誤り訂正フレームから抽出して前記ラベル終端手段へ出力する前方誤り訂正処理手段を備える、
付記４に記載された光受信機。
【００５３】
（付記６）
前記ラベル終端手段は前記複数のラインポートのいずれかと前記スイッチとの間に配置される、付記４又は５に記載された光受信機。
【００５４】
（付記７）
付記１乃至３のいずれか１項に記載された光送信機と、
付記４乃至６のいずれか１項に記載された光受信機と、
が対向して前記クライアント信号を伝送するように構成された、光伝送システム。
【００５５】
（付記８）
エンドユーザー装置と自光トランスポンダとの間でクライアント信号を送信及び受信する複数のクライアントポートと、
通信装置との間で前記クライアント信号が格納されたライン信号を送信及び受信する複数のラインポートと、
前記エンドユーザー装置から前記通信装置へ伝送される前記クライアント信号に、前記通信装置における送信先を識別する第１のラベルを付与するラベル付与手段と、
前記通信装置から受信した前記クライアント信号に含まれる第２のラベルから、前記通信装置から受信した前記ライン信号に格納された前記クライアント信号の送信先を識別する情報を抽出するラベル終端手段と、
前記クライアント信号の送信先を識別する情報に基づいて前記複数のクライアントポートのいずれかと前記ライン信号を受信した前記複数のラインポートのいずれかとを接続するスイッチと、を備える光トランスポンダ。
【００５６】
（付記９）
前記複数のラインポートの伝送容量の総和は前記複数のクライアントポートの伝送容量の総和よりも大きい、付記８に記載された光トランスポンダ。
【００５７】
（付記１０）
前記複数のラインポートのそれぞれが前記通信装置との間で送信及び受信する前記ライン信号を波長多重分離する波長多重分離手段をさらに備える、付記８又は９に記載された光トランスポンダ。
【００５８】
（付記１１）
付記１０に記載された光トランスポンダを複数備え、さらに、
前記波長多重分離手段は、複数の前記光トランスポンダのそれぞれが前記通信装置との間で送信及び受信する前記ライン信号を波長多重分離する、光トランスポンダ。
【００５９】
（付記１２）
付記８乃至１１のいずれかに記載された光トランスポンダと、
付記８乃至１１のいずれかに記載された光トランスポンダを含む前記通信装置とが、光伝送路を介して通信可能に接続された、光伝送システム。
【００６０】
（付記１３）
前記複数のラインポートのいずれかにおいて異常が検出された場合には、前記異常が検出されたラインポートは、前記異常が検出されたことを示す情報を前記通信装置に送信する、付記１２に記載された光伝送システム。
【００６１】
（付記１４）
前記通信装置は、前記異常が検出されたことを示す情報を受信すると、前記異常が検出された前記ラインポートへの前記ライン信号の送信を抑制する、付記１３に記載された光伝送システム。
【００６２】
（付記１５）
前記異常が検出されたことを示す情報は、前記ライン信号の前方誤り訂正フレームの空き領域に格納される、付記１３又は１４に記載された光伝送システム。
【００６３】
（付記１６）
前記通信装置は、前記光伝送路から受信した前記クライアント信号の前記第１のラベルに対応して設定された優先度が高い前記クライアント信号を、前記異常が検出されたラインポート以外の前記ラインポートを介して優先して送信する、付記１４又は１５に記載された光伝送システム。
【００６４】
（付記１７）
前記優先度は、前記ライン信号の前方誤り訂正フレームの空き領域に格納される、付記１６に記載された光伝送システム。
【００６５】
（付記１８）
複数のクライアントポートにおいてエンドユーザー装置からクライアント信号を受信し、
複数のラインポートにおいて光受信機へ前記クライアント信号が格納されたライン信号を送信し、
前記複数のクライアントポートと前記複数のラインポートとを接続し、
前記複数のクライアントポートのいずれかから前記複数のラインポートのいずれかへ転送される前記クライアント信号に、前記光受信機における送信先を識別するラベルを付与する、
光送信方法。
【００６６】
（付記１９）
複数のクライアントポートにおいてエンドユーザー装置へクライアント信号を送信し、  複数のラインポートにおいて光送信機からの前記クライアント信号が格納されたライン信号を受信し、
前記クライアント信号に含まれるラベルから前記クライアント信号の送信先を識別する情報を抽出し、
前記クライアント信号の送信先を識別する情報に基づいて前記複数のクライアントポートのいずれかと前記ライン信号を受信した前記複数のラインポートのいずれかとを接続する、
光受信方法。
【００６７】
（付記２０）
複数のクライアントポートにおいてエンドユーザー装置との間でクライアント信号を送信及び受信し、
複数のラインポートにおいて通信装置との間で前記クライアント信号が格納されたライン信号を送信及び受信し、
前記エンドユーザー装置から前記通信装置へ伝送される前記クライアント信号に、前記通信装置における送信先を識別する第１のラベルを付与し、
前記通信装置から受信した前記ライン信号に含まれる第２のラベルから、前記クライアント信号の送信先を識別する情報を抽出し、
前記クライアント信号の送信先を識別する情報に基づいて前記複数のクライアントポートのいずれかと前記ライン信号を受信した前記複数のラインポートのいずれかとを接続する、
光送受信方法。
【００６８】
以上、実施形態を参照して本発明を説明したが、本発明は上記の実施形態に限定されない。本発明の構成や詳細には、本発明のスコープ内で当業者が理解し得る様々な変更をすることができる。例えば、各実施形態の構成は矛盾しない限り他の実施形態に適用されてもよい。この出願は、２０１８年３月３０日に出願された日本出願特願２０１８−０６６３５５を基礎とする優先権を主張し、その開示の全てをここに取り込む。
【符号の説明】
【００６９】
１  光伝送システム
１１、２１  端局
１１０〜１１ｎ、２１０〜２１ｎ  トランスポンダ
１１０Ａ〜１１０Ｃ  トランスポンダ
１３、２３  エンドユーザー装置
２１１〜２１ｎ  トランスポンダ
５１  光伝送路
１１５  クライアントポート
１１６  クロスコネクト部
１１７、１１７Ａ、１１７Ｂ、２１７  ラインポート
１２１、２２１  波長多重部
１６１  ラベル付与部
１６２、２６２  スイッチ
１６３、２６３  ラベル終端部
１６４  ＦＥＣ処理部
１６５  故障検出部
３００  光送信機
４００  光受信機
９００  トランスポンダ
９０１  クライアントポート
９０２  クロスコネクト部
９０３  ラインポート
【図１】
2019188635.tif 000003
【図２】
2019188635.tif 000004
【図３】
2019188635.tif 000005
【図４】
2019188635.tif 000006
【図５】
2019188635.tif 000007
【図６】
2019188635.tif 000008
【図７】
2019188635.tif 000009
【図８】
2019188635.tif 000010
【図９】
2019188635.tif 000011
【国際調査報告】
2019188635.tif 000012
2019188635.tif 000013
2019188635.tif 000014
2019188635.tif 000015